(57)【要約】【課題】バックアップシステムとバックアップ方法とを提供する。【解決手段】地域情報管理装置と宅内情報管理装置とを含んで構成されるバックアップシステムであって、宅内情報管理装置が備えるデータベースに蓄積される情報の一部と、地域情報管理装置が備えるデータベースに蓄積される情報の一部と、を一致させるようにすることによって地域情報管理装置と宅内情報管理装置とが互いに情報を回復する。【選択図】図１
2013201862.tif 000002
【特許請求の範囲】
【請求項１】
宅内情報管理装置と地域情報管理装置とを含んで構成されるバックアップシステムであって、
宅内情報管理装置が備えるデータベース１に蓄積される情報を利用して地域情報管理装置が備えるデータベース２を回復する場合、
前記地域情報管理装置は、
宅内情報管理装置の識別子と情報要求符号とのセットを含んで構成される前記地域情報管理装置が備える情報要求テーブルに含まれる前記情報要求符号を従来利用されていなかったものに変更する情報要求部
を有し、
前記宅内情報管理装置は、
前記宅内情報管理装置の識別子と、前記地域情報管理装置が備える前記情報要求テーブルに含まれる前記宅内情報管理装置の識別子と、が一致するセットに含まれる前記情報要求符号が、前記宅内情報管理装置が有する前記情報要求符号と異なる場合、前記宅内情報管理装置は、予め定められた前記宅内情報管理装置が備える前記データベース１の一部である宅内情報３と、前記地域情報管理装置が備える前記データベース２に前記宅内情報３を蓄積する場所と、を含んで構成される回復情報１を前記地域情報管理装置に対して送信する機能と、前記宅内情報管理装置が有する前記情報要求符号を、前記宅内情報管理装置の識別子と、前記地域情報管理装置が備える前記情報要求テーブルに含まれる前記宅内情報管理装置の識別子と、が一致するセットに含まれる前記情報要求符号に変更する機能と、を有する通信部２
を有し、
前記地域情報管理装置は、
前記宅内情報管理装置から送信された前記回復情報１を受信する機能を有する通信部３と、
前記回復情報１に含まれる前記地域情報管理装置が備える前記データベース２に前記宅内情報３を蓄積する場所に基づいて、前記回復情報１に含まれる前記宅内情報３を前記地域情報管理装置が備える前記データベース２に蓄積する情報回復部１と、
を有する
ことを特徴とするバックアップシステム。
【請求項２】
宅内機器をさらに含んで構成されるバックアップシステムであって、
前記宅内機器は、
前記宅内機器に関する、宅内機器の識別子と測定項目の識別子と測定時刻と測定値とを含んで構成される宅内機器情報を、予め定められた一定時間間隔で取得したものを宅内機器情報１として、前記宅内機器情報１を取得する宅内機器情報１取得部と、
前記宅内機器情報を、前記測定値が著しく変化したタイミングで取得したものを宅内機器情報２として、前記宅内機器情報２を取得する宅内機器情報２取得部と、
取得された前記宅内機器情報１と前記宅内機器情報２とを予め定められた前記宅内情報管理装置に対して送信する通信部１と、
を有し、
前記宅内情報管理装置は、
前記宅内機器から送信された前記宅内機器情報１と前記宅内機器情報２とを受信する機能をさらに有する前記通信部２と、
前記宅内機器の前記宅内機器情報１と前記宅内機器情報２とを蓄積する前記データベース１と、
前記宅内情報管理装置が備える前記データベース１に蓄積されている、前記宅内情報管理装置の識別子と前記宅内機器情報１とグループの識別子とを含んで構成される宅内情報を、予め定められた一定時間間隔で取得したものを宅内情報１として、前記宅内情報１を
取得する宅内情報１取得部と、
前記宅内情報を、前記宅内情報が著しく変化したタイミングで取得したものを宅内情報２として、前記宅内情報２を取得する宅内情報２取得部と、
を有し、
前記通信部２は、取得された前記宅内情報１と前記宅内情報２とを予め定められた前記地域情報管理装置に対して送信する機能をさらに有し、
前記地域情報管理装置は、
前記宅内情報管理装置から送信された前記宅内情報１と前記宅内情報２とを受信する機能をさらに有する前記通信部３と、
前記宅内情報１と前記宅内情報２とを蓄積する前記データベース２と、
を有する
ことを特徴とする請求項１に記載のバックアップシステム。
【請求項３】
前記地域情報管理装置が備える前記データベース２に蓄積される情報を利用して前記宅内情報管理装置が備える前記データベース１を回復する場合、
前記宅内情報管理装置は、
前記地域情報管理装置に対して情報要求信号を送信する機能をさらに有する前記通信部２を有し、
前記地域情報管理装置は、
前記宅内情報管理装置から送信される前記情報要求信号を受信する機能と、予め定められた前記地域情報管理装置が備える前記データベース２の一部である宅内情報３と、前記宅内情報管理装置が備える前記データベース１に前記宅内情報３を蓄積する場所と、を含んで構成される回復情報２を前記宅内情報管理装置に対して送信する機能と、をさらに有する前記通信部３を有し、
前記通信部２は、前記地域情報管理装置から送信された前記回復情報２を受信する機能をさらに有し、
前記宅内情報管理装置は、
前記回復情報２に含まれる前記宅内情報管理装置が備える前記データベース１に前記宅内情報３を蓄積する場所に基づいて、前記回復情報２に含まれる前記宅内情報３を前記宅内情報管理装置が備える前記データベース１に蓄積する情報回復部２と、
を有する
ことを特徴とする請求項１又は請求項２に記載のバックアップシステム。
【請求項４】
地域情報管理装置と宅内情報管理装置と宅内機器とを含んで構成される地域情報管理システムにおける情報のバックアップ方法であって、
前記宅内機器は、
前記宅内機器に関する、宅内機器の識別子と測定項目の識別子と測定時刻と測定値とを含んで構成される宅内機器情報を、予め定められた一定時間間隔で取得したものを宅内機器情報１として、前記宅内機器情報１を取得する第１のステップと、
前記宅内機器情報を、測定値が著しく変化したタイミングで取得したものを宅内機器情報２として、前記宅内機器情報２を取得する第２のステップと、
取得された前記宅内機器情報１と前記宅内機器情報２とを予め定められた前記宅内情報管理装置に対して送信する第３のステップと、
を実行し、
前記宅内情報管理装置は、
前記宅内機器の前記宅内機器情報１と前記宅内機器情報２とを蓄積するデータベース１を備え、
前記宅内機器から送信された前記宅内機器情報１と前記宅内機器情報２とを受信する第４のステップと、
前記宅内情報管理装置が備える前記データベース１に蓄積されている、宅内情報管理装
置の識別子と前記宅内機器情報１とグループの識別子とを含んで構成される宅内情報を、予め定められた一定時間間隔で取得したものを宅内情報１として、前記宅内情報１を取得する第５のステップと、
前記宅内情報を、前記前記宅内情報が著しく変化したタイミングで取得したものを宅内情報２として、前記宅内情報２を取得する第６のステップと、
取得された前記宅内情報１と前記宅内情報２とを予め定められた前記地域情報管理装置に対して送信する第７のステップと、
を実行し、
前記地域情報管理装置は、
前記宅内情報１と前記宅内情報２とを蓄積するデータベース２を備え、
前記宅内情報管理装置から送信された前記宅内情報１と前記宅内情報２とを受信する第８のステップ
を実行する
ことを特徴とするバックアップ方法。
【発明の詳細な説明】
【技術分野】
【０００１】
本発明は、バックアップシステム、バックアップ方法及びデータベースに関する。
【背景技術】
【０００２】
従来、国、企業および家庭等は電力会社およびガス会社等から送られてくるエネルギーを利用する消費者という立場であった。しかし現在では、再生可能エネルギーの普及によって、消費者がエネルギーを創造し、供給する立場となる傾向となってきており、また、今後益々この傾向は加速していくように思える。
【０００３】
一方、再生可能エネルギーは環境の影響を大きく受けるため、安定的にエネルギーを供給することが難しいという課題がある。この課題に対して、情報技術を活用して全体のエネルギーを管理し、各再生可能エネルギーが変動したとしても全体を平準化することで安定化を図るスマートグリッドに注目が集まった。
【０００４】
また、スマートグリッドは全体のエネルギーの管理が可能ということから、障害の早期検知や予防保守の強化をおこなえることからも注目され、多くの研究、開発および実証実験等がおこなわれるようになってきている。
【０００５】
これに対して消費側も、ＯＡ機器、家電機器および電気自動車等のエネルギー消費を管理するスマートメーター等の設置によって、二酸化炭素削減につながる高度なエネルギー利用が可能になると期待される。例えば、複数のエネルギーから二酸化炭素排出量および料金が少ないエネルギーを選択すること、あるいは、猛暑日の昼間のように電力供給が逼迫した場合に、エアコンの温度を上げたり優先度の低い機器の電源を切ったりすることなどが挙げられる。
【０００６】
また、こうした情報が把握できるようになることによって、高度なエネルギー利用以外でも機器メンテナンス、医療および介護等の情報サービスも提供できるようになると期待できる。
【０００７】
全体のエネルギーを管理する手法については、先行技術文献として、非特許文献１および非特許文献２が開示されている。
【０００８】
はじめに、非特許文献１では、宅内機器（１０１ａ）から宅内機器（１０１ｆ）まで等が有する宅内機器情報、すなわち消費電力、動作状態およびセンサ値等の宅内機器情報が、地域情報管理装置（１０３）が備えるデータベースに蓄積されるまでの宅内機器情報の流れの概要が開示されている。
【０００９】
図１に、地域情報管理システム（１００）における宅内機器情報の流れについて示す。
図１によれば、地域情報管理システム（１００）は、サービス提供者サーバ（１０４ａ）からサービス提供者サーバ（１０４ｃ）まで等と地域情報管理装置（１０３）と宅内情報管理装置（１０２ａ）から宅内情報管理装置（１０２Ｃ）まで等とがネットワーク（ＮＴ）を介して接続され、宅内情報管理装置（１０２ａ）と宅内機器（１０１ａ）から宅内機器（１０１ｆ）まで等とが電気通信回線を介して接続されている構成となっている。
【００１０】
また、宅内情報管理装置（１０２ｂ）や宅内情報管理装置（１０２ｃ）等についても宅内情報管理装置（１０２ａ）の場合と同様に宅内機器が電気通信回線を介して接続されているが、宅内情報管理装置（１０２ａ）と宅内機器（１０１ａ）から宅内機器（１０１ｆ）まで等との関係と、宅内情報管理装置（１０２ｂ）や宅内情報管理装置（１０２ｃ）等と宅内機器との関係と、は同一であるため、宅内情報管理装置（１０２ｂ）と宅内情報管理装置（１０２ｃ）と等に接続される宅内機器については省略している。
【００１１】
図１によれば、はじめに、宅内機器（１０１ａ）から宅内機器（１０１ｆ）まで等は、電気通信回線を介して宅内機器情報を宅内情報管理装置（１０２ａ）に対して送信する。
【００１２】
次に、宅内情報管理装置（１０２ａ）は、宅内機器（１０１ａ）から宅内機器（１０１ｆ）まで等から送信された宅内機器情報を受信し、宅内情報管理装置（１０２ａ）が備えるデータベースに受信した宅内機器情報を蓄積する。
【００１３】
次に、宅内情報管理装置（１０２ａ）から宅内情報管理装置（１０２ｃ）まで等は、データベースに蓄積されている宅内機器情報を地域情報管理装置（１０３）に対して送信する。
【００１４】
次に、地域情報管理装置（１０３）は、宅内情報管理装置（１０２ａ）から宅内情報管理装置（１０２ｃ）まで等から送信された宅内機器情報を受信し、地域情報管理装置（１０３）が備えるデータベースに受信した宅内機器情報を蓄積する。
【００１５】
次に、地域情報管理装置（１０３）は、サービス提供者サーバ（１０４ａ）からサービス提供者サーバ（１０４ｃ）まで等からの宅内機器情報の要求に応じ、データベースに蓄積されている宅内機器情報を、宅内機器情報を要求したサービス提供者サーバに対して送信する。
【００１６】
次に、非特許文献２では、データベースに含まれる情報のバックアップ方法に関する一例が開示されている。
【００１７】
非特許文献２によれば、バックアップ装置は、大別して２つのバックアップ装置で構成されている。一つは、データベースに蓄積されているすべての情報を一括してバックアップするバックアップ装置であり、一つは、バックアップされている情報とデータベースに蓄積されている情報とを比較し、データベースに蓄積されている情報の内、バックアップされていない情報のみを追加でバックアップするバックアップ装置である。
【００１８】
一方、２つのバックアップ装置は大量の情報を対象としているため、バックアップ装置は共に大規模となる。
【先行技術文献】
【非特許文献】
【００１９】
【非特許文献１】“スマートハウス情報活用基盤に関する検討活動中間報告”、一般財団法人日本情報経済社会推進協会
【非特許文献２】“Ｏｒａｃｌｅバックアップ・リカバリ実践テクニック”、ソフト・リサーチ・センター
【発明の概要】
【発明が解決しようとする課題】
【００２０】
以下、本発明の課題について示す。
上記の非特許文献１では、宅内機器の宅内機器情報が、宅内情報管理装置および地域情報管理装置を経由して、サービス提供者に送信されるまでの宅内機器情報の流れの概要について開示されている。本発明における宅内機器情報の流れについてもおよそ同一である。
【００２１】
上記の非特許文献１で開示されている地域情報管理装置が、上記の非特許文献２で開示されているバックアップ装置を備えることを考えた場合、地域情報管理装置が備えるバックアップ装置は、非常に大きなものとなることが予測される。
【００２２】
そこで、本発明では、地域情報管理装置が備えるバックアップ装置の一部を、宅内情報管理装置を代用することによって、地域情報管理装置が備えるバックアップ装置の規模を縮小した、バックアップシステム、バックアップ装置およびバックアップ装置を利用したバックアップ方法を提供する。
【００２３】
また、地域情報管理装置が備えるデータベースおよび宅内情報管理装置が備えるデータベースが互いに情報の回復を可能にする方法も提供する。
【課題を解決するための手段】
【００２４】
本発明の一観点によれば、宅内情報管理装置と地域情報管理装置とを含んで構成されるバックアップシステムであって、宅内情報管理装置が備えるデータベース１に蓄積される情報を利用して地域情報管理装置が備えるデータベース２を回復する場合、前記地域情報管理装置は、宅内情報管理装置の識別子と情報要求符号とのセットを含んで構成される前記地域情報管理装置が備える情報要求テーブルに含まれる前記情報要求符号を従来利用されていなかったものに変更する情報要求部を有し、前記宅内情報管理装置は、前記宅内情報管理装置の識別子と、前記地域情報管理装置が備える前記情報要求テーブルに含まれる前記宅内情報管理装置の識別子と、が一致するセットに含まれる前記情報要求符号が、前記宅内情報管理装置が有する前記情報要求符号と異なる場合、前記宅内情報管理装置は、予め定められた前記宅内情報管理装置が備える前記データベース１の一部である宅内情報３と、前記地域情報管理装置が備える前記データベース２に前記宅内情報３を蓄積する場所と、を含んで構成される回復情報１を前記地域情報管理装置に対して送信する機能と、前記宅内情報管理装置が有する前記情報要求符号を、前記宅内情報管理装置の識別子と、前記地域情報管理装置が備える前記情報要求テーブルに含まれる前記宅内情報管理装置の識別子と、が一致するセットに含まれる前記情報要求符号に変更する機能と、を有する通信部２を有し、前記地域情報管理装置は、前記宅内情報管理装置から送信された前記回復情報１を受信する機能を有する通信部３と、前記回復情報１に含まれる前記地域情報管理装置が備える前記データベース２に前記宅内情報３を蓄積する場所に基づいて、前記回復情報１に含まれる前記宅内情報３を前記地域情報管理装置が備える前記データベース２に蓄積する情報回復部１と、を有することを特徴とするバックアップシステムが提供される。
【００２５】
宅内機器をさらに含んで構成されるバックアップシステムであって、前記宅内機器は、前記宅内機器に関する、宅内機器の識別子と測定項目の識別子と測定時刻と測定値とを含んで構成される宅内機器情報を、予め定められた一定時間間隔で取得したものを宅内機器情報１として、前記宅内機器情報１を取得する宅内機器情報１取得部と、前記宅内機器情報を、前記測定値が著しく変化したタイミングで取得したものを宅内機器情報２として、前記宅内機器情報２を取得する宅内機器情報２取得部と、取得された前記宅内機器情報１と前記宅内機器情報２とを予め定められた前記宅内情報管理装置に対して送信する通信部１と、を有し、前記宅内情報管理装置は、前記宅内機器から送信された前記宅内機器情報１と前記宅内機器情報２とを受信する機能をさらに有する前記通信部２と、前記宅内機器の前記宅内機器情報１と前記宅内機器情報２とを蓄積する前記データベース１と、前記宅内情報管理装置が備える前記データベース１に蓄積されている、前記宅内情報管理装置の識別子と前記宅内機器情報１とグループの識別子とを含んで構成される宅内情報を、予め定められた一定時間間隔で取得したものを宅内情報１として、前記宅内情報１を取得する宅内情報１取得部と、前記宅内情報を、前記宅内情報が著しく変化したタイミングで取得したものを宅内情報２として、前記宅内情報２を取得する宅内情報２取得部と、を有し、前記通信部２は、取得された前記宅内情報１と前記宅内情報２とを予め定められた前記地域情報管理装置に対して送信する機能をさらに有し、前記地域情報管理装置は、前記宅内情報管理装置から送信された前記宅内情報１と前記宅内情報２とを受信する機能をさらに有する前記通信部３と、前記宅内情報１と前記宅内情報２とを蓄積する前記データベース
２と、を有しても良い。
【００２６】
前記地域情報管理装置が備える前記データベース２に蓄積される情報を利用して前記宅内情報管理装置が備える前記データベース１を回復する場合、前記宅内情報管理装置は、前記地域情報管理装置に対して情報要求信号を送信する機能をさらに有する前記通信部２を有し、前記地域情報管理装置は、前記宅内情報管理装置から送信される前記情報要求信号を受信する機能と、予め定められた前記地域情報管理装置が備える前記データベース２の一部である宅内情報３と、前記宅内情報管理装置が備える前記データベース１に前記宅内情報３を蓄積する場所と、を含んで構成される回復情報２を前記宅内情報管理装置に対して送信する機能と、をさらに有する前記通信部３を有し、前記通信部２は、前記地域情報管理装置から送信された前記回復情報２を受信する機能をさらに有し、前記宅内情報管理装置は、前記回復情報２に含まれる前記宅内情報管理装置が備える前記データベース１に前記宅内情報３を蓄積する場所に基づいて、前記回復情報２に含まれる前記宅内情報３を前記宅内情報管理装置が備える前記データベース１に蓄積する情報回復部２と、を有しても良い。
【００２７】
本発明の他の観点によれば、地域情報管理装置と宅内情報管理装置と宅内機器とを含んで構成される地域情報管理システムにおける情報のバックアップ方法であって、前記宅内機器は、前記宅内機器に関する、宅内機器の識別子と測定項目の識別子と測定時刻と測定値とを含んで構成される宅内機器情報を、予め定められた一定時間間隔で取得したものを宅内機器情報１として、前記宅内機器情報１を取得する第１のステップと、前記宅内機器情報を、測定値が著しく変化したタイミングで取得したものを宅内機器情報２として、前記宅内機器情報２を取得する第２のステップと、取得された前記宅内機器情報１と前記宅内機器情報２とを予め定められた前記宅内情報管理装置に対して送信する第３のステップと、を実行し、前記宅内情報管理装置は、前記宅内機器の前記宅内機器情報１と前記宅内機器情報２とを蓄積するデータベース１を備え、前記宅内機器から送信された前記宅内機器情報１と前記宅内機器情報２とを受信する第４のステップと、前記宅内情報管理装置が備える前記データベース１に蓄積されている、宅内情報管理装置の識別子と前記宅内機器情報１とグループの識別子とを含んで構成される宅内情報を、予め定められた一定時間間隔で取得したものを宅内情報１として、前記宅内情報１を取得する第５のステップと、前記宅内情報を、前記宅内情報が著しく変化したタイミングで取得したものを宅内情報２として、前記宅内情報２を取得する第６のステップと、取得された前記宅内情報１と前記宅内情報２とを予め定められた前記地域情報管理装置に対して送信する第７のステップと、を実行し、前記地域情報管理装置は、前記宅内情報１と前記宅内情報２とを蓄積するデータベース２を備え、前記宅内情報管理装置から送信された前記宅内情報１と前記宅内情報２とを受信する第８のステップを実行することを特徴とするバックアップ方法が提供される。
【００２８】
また、本発明は、コンピュータに上記に記載のバックアップ方法を実行させるためのプログラムであっても良く、当該プログラムを記録するコンピュータが読み取り可能な記録媒体であっても良い。
尚、上記の各構成要件は任意に追加・削除が可能であり、装置毎の発明も本発明に含まれるものである。
【発明の効果】
【００２９】
本発明を用いることによって以下の効果を得ることが可能である。
（１）地域情報管理装置が備えるデータベースの回復が必要となった場合であっても、宅内情報管理装置が備えるデータベースに、地域情報管理装置が備えるデータベースの回復に必要な情報が蓄積されていることを利用して、地域情報管理装置が備えるデータベースを回復することが可能である。また、宅内情報管理装置が、地域情報管理装置が備える情
報要求テーブルを参照することで、宅内情報管理装置は、地域情報管理装置が、地域情報管理装置が備えるデータベースの情報の回復に必要な情報を要求しているか否かを判断するため、地域情報管理装置は、宅内情報管理装置のＩＰ（Ｉｎｔｅｒｎｅｔ  Ｐｒｏｔｏｃｏｌ）アドレス等を記億する必要もないため、例えば、宅内情報管理装置のＩＰ（Ｉｎｔｅｒｎｅｔ  Ｐｒｏｔｏｃｏｌ）アドレス等が変更となった場合であっても、地域情報管理装置に対して宅内情報管理装置のＩＰ（Ｉｎｔｅｒｎｅｔ  Ｐｒｏｔｏｃｏｌ）アドレス等が変更となったことを報知する必要はない。
（２）宅内情報管理装置が備えるデータベースの回復が必要となった場合であっても、地域情報管理装置が備えるデータベースに、宅内情報管理装置が備えるデータベースの回復に必要な情報が蓄積されていることを利用して、宅内情報管理装置が備えるデータベースを回復することが可能である。
【図面の簡単な説明】
【００３０】
【図１】非特許文献１において開示されている、地域情報管理システムにおける宅内機器情報の流れの一例を示す図であり、第１の実施形態から第３の実施形態まででも引用される図である。
【図２Ａ】宅内機器情報を蓄積するためのテーブルについての一例を示す図である。
【図２Ｂ】宅内機器情報を蓄積するためのテーブルについての一例を示す図である。
【図３Ａ】宅内情報を蓄積するためのテーブルについての一例を示す図である。
【図３Ｂ】宅内情報を蓄積するためのテーブルについての一例を示す図である。
【図４】第２の実施形態における地域情報管理装置が備えるバックアップ識別子テーブルの一例を示す図である。
【図５】宅内機器の一構成例を示す機能ブロック図である。
【図６Ａ】第１の実施形態と第２の実施形態とにおける宅内情報管理装置の一構成例を示す機能ブロック図である。
【図６Ｂ】第３の実施形態における宅内情報管理装置の一構成例を示す機能ブロック図である。
【図７Ａ】第１の実施形態と第３の実施形態とにおける地域情報管理装置の一構成例を示す機能ブロック図である。
【図７Ｂ】第２の実施形態における地域情報管理装置の一構成例を示す機能ブロック図である。
【図８】第２の実施形態における処理の流れを示すフローチャート図である。
【図９】第３の実施形態における処理の流れを示すフローチャート図である。
【発明を実施するための形態】
【００３１】
以下に、図面を参照しながら本発明の実施形態について説明する。
（第１の実施形態）
図１は、第１の実施形態におけるバックアップシステムの一構成例を示す機能ブロック図である。
【００３２】
図１によれば、地域情報管理システム（１００）は、サービス提供者サーバ（１０４ａ）からサービス提供者サーバ（１０４ｃ）まで等と地域情報管理装置（１０３）と宅内情報管理装置（１０２ａ）から宅内情報管理装置（１０２ｃ）まで等とがネットワーク（ＮＴ）を介して接続され、宅内情報管理装置（１０２ａ）と宅内機器（１０１ａ）から宅内機器（１０１ｆ）まで等とが電気通信回線を介して接続されている構成となっている。
【００３３】
また、宅内情報管理装置（１０２ｂ）や宅内情報管理装置（１０２ｃ）等についても宅内情報管理装置（１０２ａ）の場合と同様に宅内機器が電気通信回線を介して接続されているが、宅内情報管理装置（１０２ａ）と宅内機器（１０１ａ）から宅内機器（１０１ｆ）まで等との関係と、宅内情報管理装置（１０２ｂ）や宅内情報管理装置（１０２ｃ）等と宅内機器との関係と、は同一であるため、宅内情報管理装置（１０２ｂ）や宅内情報管理装置（１０２ｃ）等に接続される宅内機器については省略している。
【００３４】
図１によれば、はじめに、宅内機器（１０１ａ）から宅内機器（１０１ｆ）まで等は、宅内機器情報を宅内情報管理装置（１０２ａ）に対して送信する。
【００３５】
次に、宅内情報管理装置（１０２ａ）は、宅内機器（１０１ａ）から宅内機器（１０１ｆ）まで等から送信された宅内機器情報を受信し、宅内情報管理装置（１０２ａ）が備えるデータベースに受信した宅内機器情報を蓄積する。
【００３６】
次に、宅内情報管理装置（１０２ａ）から宅内情報管理装置（１０２ｃ）まで等は、データベースに蓄積されている宅内機器情報を地域情報管理装置（１０３）に対して送信する。
【００３７】
次に、地域情報管理装置（１０３）は、宅内情報管理装置（１０２ａ）から宅内情報管理装置（１０２ｃ）まで等から送信された宅内機器情報を受信し、地域情報管理装置（１０３）が備えるデータベースに受信した宅内機器情報を蓄積する。
【００３８】
次に、地域情報管理装置（１０３）は、サービス提供者サーバ（１０４ａ）からサービス提供者サーバ（１０４ｃ）まで等からの宅内機器情報の要求に応じて、データベースに蓄積されている宅内機器情報を、宅内機器情報を要求したサービス提供者サーバ（１０４ａ）からサービス提供者サーバ（１０４ｃ）まで等に対して送信する。
【００３９】
図５は、宅内機器（１０１ａ）から宅内機器（１０１ｆ）まで等の内のいずれかの宅内機器である宅内機器（１０１）の一構成例を示す機能ブロック図である。
【００４０】
図５によれば、宅内機器（１０１）は、宅内機器情報１取得部（１０１−１）と宅内機器情報２取得部（１０１−２）との内のいずれか又は両方と、通信部（１０１−３）とを備える。
【００４１】
宅内機器（１０１）では以下が実行される。
宅内機器情報１取得部（１０１−１）は、一定時間間隔で宅内機器情報を取得し、宅内機器情報２取得部（１０１−２）は、宅内機器情報が著しく変化したタイミングで宅内機器情報を取得し、通信部（１０１−３）は、宅内機器（１０１）が宅内機器情報１取得部（１０１−１）を備える場合、宅内機器情報１取得部（１０１−１）で取得された宅内機器情報を宅内情報管理装置（１０２ａ）に対して送信し、宅内機器（１０１）が宅内機器情報２取得部（１０１−２）を備える場合、宅内機器情報２取得部（１０１−２）で取得された宅内機器情報を宅内情報管理装置（１０２ａ）に対して送信する。
以上が、宅内機器（１０１）で実行される。
【００４２】
また、宅内機器情報は宅内機器の識別子と測定項目の識別子と測定時刻と実測値とを含むものとしている。
ここで、宅内機器の識別子とは、宅内情報管理装置と複数の宅内機器とが接続される場合、宅内機器を区別するために利用されるものであり、宅内機器毎に異なるものとする。例えば、宅内機器が３台、すなわち、宅内機器１と宅内機器２と宅内機器３とが存在する場合、例えば、宅内機器１に対して宅内機器の識別子１という識別子を割り当て、宅内機器２に対して宅内機器の識別子２という識別子を割り当て、宅内機器３に対して宅内機器の識別子３という識別子を割り当てる。
【００４３】
また、測定項目の識別子とは、宅内機器が例えば、電力消費量、湿度及び温度等の複数の測定項目を有する場合、測定項目を区別するために利用されるものであり、測定項目毎に異なるものとする。例えば、測定項目が３つ、すなわち、測定項目
１と測定項目２と測定項目３とが存在する場合、例えば、測定項目１に対して測定項目の識別子１という識別子を割り当て、測定項目２に対して測定項目の識別子２という識別子を割り当て、想定項目３に対して測定項目の識別子３という識別子を割り当てる。
【００４４】
また、測定時刻とは、実測値が取得された時刻である。
また、実測値とは、宅内機器で取得された測定項目の識別子毎の実測値である。例えば、測定項目の識別子が電力消費量である場合、実測値は１００等（単位：Ｗ）とし、測定項目の識別子が湿度である場合、実測値は３０等（単位：％）とし、測定項目が温度である場合、実測値は３５等（単位：度）とする。
【００４５】
図６Ａは、宅内情報管理装置（１０２ａ）から宅内情報管理装置（１０２ｃ）まで等の内のいずれかの宅内情報管理装置（１０２）の一構成例を示す機能ブロック図である。
【００４６】
図６Ａによれば、宅内情報管理装置（１０２）は、宅内情報１取得部（１０２−１）と宅内情報２取得部（１０２−２）との内のいずれか又は両方と、通信部（１０２−３）とデータベース（１０２−４）とを備える。
【００４７】
宅内情報管理装置（１０２）の通信部（１０２−３）は宅内機器情報、すなわち、宅内機器の識別子と測定項目の識別子と測定時刻と実測値とを受信可能で、宅内情報管理装置（１０２）の通信部（１０２−３）が宅内機器情報を受信した場合、宅内情報管理装置（１０２）では以下が実行される。
【００４８】
はじめに、通信部（１０２−３）は、受信された宅内機器情報を宅内情報管理装置（１０２）が備えるデータベース（１０２−４）に蓄積する。
【００４９】
次に、宅内情報管理装置（１０２）が備えるデータベース（１０２−４）を構成する測定値テーブル（２０８）に含まれる宅内機器の識別子と測定項目の識別子と、受信された宅内機器の識別子と測定項目の識別子と、がそれぞれ一致している場合の領域の識別子とグループの識別子とを取得する。
【００５０】
次に、測定値テーブル（２０８）に、取得された領域の識別子とグループの識別子と、受信された宅内機器の識別子と測定項目の識別子と実測値と測定時刻と、を合成して蓄積する。
【００５１】
次に、宅内情報１取得部（１０２−１）は、一定時間間隔で宅内情報管理装置が備えるデータベース（１０２−４）から宅内情報を取得し、宅内情報２取得部（１０２−２）は、宅内情報が著しく変化したタイミングで宅内情報管理装置が備えるデータベース（１０２−４）から宅内情報を取得し、通信部（１０２−３）は、宅内情報管理装置（１０２）が宅内情報１取得部（１０２−１）を備える場合、宅内情報１取得部（１０２−１）で取得された宅内情報を地域情報管理装置（１０３）に対して送信し、宅内情報管理装置（１０２）が宅内情報２取得部（１０２−２）を備える場合、宅内情報２取得部（１０２−２）で取得された宅内情報を地域情報管理装置（１０３）に対して送信する。
また、宅内情報は、宅内情報管理装置の識別子とグループの識別子と宅内機器の識別子と測定項目の識別子と測定時刻と実測値とを含むものとしている。
以上が宅内情報管理装置（１０２）で実行される。
【００５２】
したがって、宅内情報管理装置（１０２）が備えるデータベース（１０２−４）は、受信された宅内機器情報を蓄積するためのテーブルを含んで構成される。
【００５３】
宅内機器情報を蓄積するためのテーブルについての一例を図２Ａと図２Ｂとに示す。図２Ａと図２Ｂとによれば、受信された宅内機器情報を蓄積するためのテーブルとして８のテーブルがあり、各テーブルは互いにキーで関連付けられている。
【００５４】
図２Ａと図２Ｂとによれば、テーブルとしては、領域テーブル（２０３）とグループテーブル（２０４）と宅内機器テーブル（２０５）と宅内機器の分類テーブル（２０６）と宅内機器の情報テーブル（２０７）と測定値テーブル（２０８）と測定項目の情報テーブル（２０９）と型の情報テーブル（２１０）とが挙げられ、各テーブルに関する詳細は以下に示すとおりである。
【００５５】
領域テーブル（２０３）には、宅内情報管理装置（１０２）が管理する領域に関する情報、すなわち、領域の識別子と領域の名称と領域の特徴とが含まれる。
【００５６】
また、領域の識別子とは、宅内情報管理装置が例えば、フロア、部屋及び集合住宅の一室等の複数の領域をまたいで管理している場合、領域を区別するために利用されるものであり、領域毎に異なるものとする。例えば、領域が３つ、すなわち、領域１と領域２と領域３とが存在する場合、例えば、領域１に対して領域の識別子１という識別子を割り当て、領域２に対して領域の識別子２という識別子を割り当て、領域３に対して領域の識別子３という識別子を割り当てる。
【００５７】
また、領域の名称とは、領域の呼称を示すものであり、宅内情報管理装置の管理者が設定した愛称、建築業者が設定した愛称又はヌル等でもよいし、他の何らかの規則にしたがったものであっても良い。
【００５８】
また、領域の特徴とは、領域の特徴を示すものであり、宅内情報管理装置の管理者が設定した特徴、建築業者が設定した仕様又はヌル等でも良いし、他の何らかの規則にしたがったものであっても良い。
【００５９】
グループテーブル（２０４）には、複数の宅内機器を統合した場合の効果を検証することができるよう、予めその対象となる宅内機器をグループ化した場合のグループに関する情報、すなわち、領域の識別子とグループの識別子とグループの名称とグループの特徴とが含まれる。
【００６０】
ここで、領域の識別子とは、領域テーブル（２０３）との関係付けのために含まれている。
また、グループの識別子とは、宅内機器のグループが複数ある場合、宅内機器のグループを区別するために利用されるものであり、グループ毎に異なるものとする。例えば、グループが３つ、すなわち、グループ１とグループ２とグループ３とが存在する場合、例えば、グループ１に対してグループの識別子１という識別子を割り当て、グループ２に対してグループの識別子２という識別子を割り当て、グループ３に対してグループの識別子３という識別子を割り当てる。
【００６１】
また、グループの名称とは、グループの呼称を示すものであり、宅内情報管理装置の管理者が設定した愛称、宅内機器設置者が設定した愛称又はヌル等でもよいし、他の何らかの規則にしたがったものであっても良い。
【００６２】
また、グループの特徴とは、グループの特徴を示すものであり、宅内情報管理装置の管理者が設定した特徴、宅内機器設置者が設定した仕様又はヌル等でもよいし、他の何らかの規則にしたがったものであっても良い。
【００６３】
宅内機器テーブル（２０５）には、宅内機器に関する情報、すなわち、領域の識別子とグループの識別子と宅内機器の識別子と宅内機器のメーカーと宅内機器の製造番号と宅内機器の名称と宅内機器の型番とｘ座標とｙ座標とｚ座標とｚ軸回転とが含まれる。
【００６４】
ここで、領域の識別子とグループの識別子とは、グループテーブル（２０４）との関係付けのために含まれている。
また、宅内機器の識別子とは、上述の説明のとおりである。
【００６５】
また、宅内機器のメーカーとは、メーカーの呼称を示すものであり、宅内情報管理装置の管理者が設定した愛称、会社の名称又はヌル等でもよいし、他の何らかの規則にしたがったものであっても良い。
【００６６】
また、宅内機器の製造番号とは、宅内機器を一意に特定可能なものであり、例えば、メーカーが設定した製造番号、ＭＡＣ（Ｍｅｄｉａ  Ａｃｃｅｓｓ  Ｃｏｎｔｒｏｌ）アドレス及びＩＰ（Ｉｎｔｅｒｎｅｔ  Ｐｒｏｔｏｃｏｌ）アドレス等が挙げられる。
【００６７】
また、宅内機器の名称とは、宅内機器の呼称を示すものであり、宅内情報管理装置の管理者が設定した愛称、メーカーが設定した愛称又はヌル等でもよいし、他の何らかの規則にしたがったものであっても良い。
【００６８】
また、宅内機器の型番とは、宅内機器の型番を示すものであり、宅内情報管理装置の管理者が設定した符号、メーカーが設定した符号又はヌル等でもよいし、他の何らかの規則
にしたがったものであっても良い。
【００６９】
また、ｘ座標とは、宅内の床面に対して直交する軸をｚ軸とし、ｚ軸に直交する軸をｘ座標とし、ｘ軸とｚ軸とに直交する軸をｙ軸とした場合のｘ座標である。但し、宅内機器が配置された位置を必要としない場合、ヌル等であっても良い。
【００７０】
また、ｙ座標とは、ｘ軸とｙ軸とｚ軸とが適用された場合のｙ座標である。但し、宅内機器が配置された位置を必要としない場合、ヌル等であっても良い。
【００７１】
また、ｚ座標とは、ｘ軸とｙ軸とｚ軸とが適用された場合のｚ座標である。但し、宅内機器が配置された位置を必要としない場合、ヌル等であっても良い。
【００７２】
また、ｚ軸回転とは、ｘ軸とｙ軸とｚ軸とが適用された場合のｚ軸回転である。但し、宅内機器が配置された向きを必要としない場合、ヌル等であっても良い。
【００７３】
宅内機器の分類テーブル（２０６）には、宅内機器の分類に関する情報、すなわち、宅内機器の識別子と宅内機器の機能とが含まれる。
【００７４】
ここで、宅内機器の識別子とは、宅内機器テーブル（２０５）との関係付けのために含まれている。
【００７５】
また、宅内機器の機能とは、宅内機器を機能別に分類した場合の分類の名称を示すものであり、例えば、冷蔵庫、テレビ及び照明等が挙げられる。
【００７６】
宅内機器の情報テーブル（２０７）には、宅内機器に関する情報すなわち、宅内機器のメーカーと宅内機器の名称と宅内機器の型番と宅内機器の特徴とが含まれる。
【００７７】
ここで、宅内機器のメーカーと宅内機器の名称と宅内機器の型番とは、宅内機器テーブル（２０５）との関係付けのために含まれている。
【００７８】
また、宅内機器の特徴とは、宅内機器の特徴を示すものであり、宅内情報管理装置の管理者が設定した特徴、メーカーが設定した仕様又はヌル等でもよいし、他の何らかの規則にしたがったものであっても良い。
【００７９】
測定値テーブル（２０８）には、測定値に関する情報、すなわち、領域の識別子とグループの識別子と宅内機器の識別子と測定項目の識別子と測定時刻と実測値とが含まれる。
【００８０】
ここで、領域の識別子とグループの識別子と宅内機器の識別子とは、宅内機器テーブル（２０５）との関係付けのために含まれる。また、測定項目の識別子と測定時刻と実測値とは、上述の説明のとおりである。
【００８１】
測定項目の情報テーブル（２０９）には、測定項目に関する情報、すなわち、宅内機器の識別子と測定項目の識別子と型の名称と測定項目の名称と測定項目の特徴とが含まれる。
【００８２】
ここで、宅内機器の識別子と測定項目の識別子とは測定項目テーブル（２０８）との関係付けのために含まれている。
【００８３】
また、型の名称とは、実測値の型を示すものであり、例えば、実測値が文字列の場合、ｃｈａｒとし、実測値が整数の場合、ｉｎｔｅｇｅｒとし、実測値が実数の場合、ｄｏｕｂｌｅ等とする。
【００８４】
また、測定項目の名称とは、測定項目の呼称を示すものであり、宅内情報管理装置の管理者が設定した愛称、メーカーが設定した愛称又はヌル等でも良いし、他の何らかの規則にしたがったものであっても良い。
【００８５】
また、測定項目の特徴とは、測定項目の特徴を示すものであり。宅内情報管理装置の管理者が設定した特徴、メーカーが設定した仕様又はヌル等でも良いし、他の何らかの規則にしたがったものであっても良い。
【００８６】
型の情報（２１０）テーブルには、実測値の型に関する情報すなわち、型の名称と型の特徴とが含まれる。
【００８７】
ここで、型の名称とは、測定項目の情報テーブル（２０９）との関係付けのために含まれている。
【００８８】
また、型の特徴とは、型の特徴を示すものであり、宅内情報管理装置の管理者が設定した特徴、メーカーが設定した仕様又はヌル等でも良いし、他の何らかの規則にしたがったものであっても良い。
【００８９】
但し、宅内情報管理装置が備えるデータベースを構成する領域テーブル（２０３）に含まれる領域の識別子と領域の名称と領域の特徴と、宅内情報管理装置が備えるデータベースを構成するグループテーブル（２０４）に含まれる領域の識別子とグループの識別子とグループの名称とグループの特徴と、宅内情報管理装置が備えるデータベースを構成する宅内機器テーブル（２０５）に含まれる領域の識別子とグループの識別子と宅内機器の識別子と宅内機器のメーカーと宅内機器の製造番号と宅内機器の名称と宅内機器の型番とｘ座標とｙ座標とｚ座標とｚ軸回転と、宅内情報管理装置が備えるデータベースを構成する宅内機器の分類テーブル（２０６）に含まれる宅内機器の識別子と宅内機器の機能と、宅内情報管理装置が備えるデータベースを構成する宅内機器の情報テーブル（２０７）に含まれる宅内機器のメーカーと宅内機器の名称と宅内機器の型番と宅内機器の特徴と、宅内情報管理装置が備えるデータベースを構成する測定値テーブル（２０８）に含まれる領域の識別子とグループの識別子と宅内機器の識別子と測定項目の識別子と、宅内情報管理装置が備えるデータベースを構成する測定項目の情報テーブル（２０９）に含まれる宅内機器の識別子と測定項目の識別子と型の名称と測定項目の名称と測定項目の特徴と、宅内情報管理装置が備えるデータベースを構成する型の情報テーブル（２１０）に含まれる型の名称と型の特徴と、は予め宅内情報管理装置の管理者によって蓄積されているものとする。
【００９０】
図７Ａは、地域情報管理装置（１０３）の一構成例を示す機能ブロック図である。
図７Ａによれば、地域情報管理装置（１０３）は、通信部（１０３−３）とデータベース（１０２−４）とを備える。
【００９１】
地域情報管理装置（１０３）の通信部（１０３−３）は宅内情報、すなわち、宅内情報管理装置の識別子とグループの識別子と宅内機器の識別子と測定項目の識別子と測定時刻と実測値とを受信可能で、地域情報管理装置（１０３）の通信部（１０３−３）が宅内情報を受信した場合、地域情報管理装置（１０３）では以下が実行される。
【００９２】
はじめに、通信部（１０３−３）は、受信された宅内情報を地域情報管理装置（１０３）が備えるデータベース（１０３−４）に蓄積する。
【００９３】
次に、地域情報管理装置（１０３）が備えるデータベース（１０３−４）を構成する測定値テーブル（３１０）に含まれる宅内情報管理装置の識別子と宅内機器の識別子と測定項目の識別子と、受信された宅内情報管理装置の識別子と宅内機器の識別子と測定項目の識別子と、がそれぞれ一致している場合の領域の識別子とグループの識別子とを取得する。
【００９４】
次に、測定値テーブル（３１０）に、取得された領域の識別子とグループの識別子と、受信された宅内情報管理装置の識別子と宅内機器の識別子と測定項目の識別子と測定時刻と実測値とを合成したものを追加する。
以上が地域情報管理装置（１０３）で実行される。
【００９５】
したがって、地域情報管理装置（１０３）が備えるデータベース（１０３−４）は、受信された宅内情報を蓄積するためのテーブルを含んで構成される。
【００９６】
宅内情報を蓄積するためのテーブルについての一例を図３Ａと図３Ｂとに示す。図３Ａと図３Ｂとによれば、宅内情報を蓄積するためのテーブルとして１０のテーブルがあり、各テーブルは互いにキーで関係付けられている。
【００９７】
テーブルとしては、図３Ａと図３Ｂとに示すように、宅内情報管理装置の情報テーブル（３０３）と宅内情報管理装置の拠点テーブル（３０４）と領域テーブル（３０５）とグループテーブル（３０６）と宅内機器テーブル（３０７）と宅内機器の分類テーブル（３０８）と宅内機器の情報テーブル（３０９）と測定値テーブル（３１０）と測定項目の情報テーブル（３１１）と型の情報テーブル（３１２）とが含まれており、各テーブルについての詳細は以下に示すとおりである。
【００９８】
宅内情報管理装置の情報テーブル（３０３）には、宅内情報管理装置に関する情報、すなわち、宅内情報管理装置の識別子と宅内情報管理装置の名称と宅内情報管理装置の特徴とが含まれる。
【００９９】
ここで、宅内情報管理装置の識別子とは、地域情報管理装置と複数の宅内情報管理装置とが接続される場合、宅内情報管理装置を区別するために利用されるものであり、宅内情報管理装置毎に異なるものとする。例えば、宅内情報管理装置が３台、すなわち、宅内情報管理装置１と宅内情報管理装置２と宅内情報管理装置３とが存在する場合、例えば、宅内情報管理装置１に対して宅内情報管理装置の識別子１という識別子を割り当て、宅内情報管理装置２に対して宅内情報管理装置の識別子２という識別子を割り当て、宅内情報管理装置３に対して宅内情報管理装置の識別子３という識別子を割り当てる。
【０１００】
また、宅内情報管理装置の名称とは、宅内情報管理装置の呼称であり、宅内情報管理装置の管理者が設定した愛称、宅内情報管理装置のメーカーが設定した愛称又はヌル等でも良いし、他の何らかの規則にしたがったものであっても良い。
【０１０１】
また、宅内情報管理装置の特徴とは、宅内情報管理装置の特徴であり、宅内情報管理装置の管理者が設定した特徴、宅内情報管理装置のメーカーが設定した仕様又はヌル等でも良いし、他の何らかの規則にしたがったものであっても良い。
【０１０２】
宅内情報管理装置の拠点テーブル（３０４）には、宅内情報管理装置が配置される拠点との通信に必要となる情報、すなわち、宅内情報管理装置の識別子と通信手段とアドレスとが含まれる。
【０１０３】
ここで、宅内情報管理装置の識別子とは、宅内情報管理装置の情報テーブル（３０３）との関係付けのために含まれている。
【０１０４】
また、通信手段とは、例えば、宅内情報管理装置が配置される拠点に関する情報、宅内情報管理装置の管理者と通信をするための手段及び宅内情報管理装置と通信をするための手段等であり、例えば、インターネット、電話及び現地等が挙げられる。
【０１０５】
また、アドレスとは、通信手段に対応したアドレスであり、例えば、通信手段がインターネットである場合、１５１．１２０．０２４．０５０等のＩＰ（Ｉｎｔｅｒｎｅｔ  Ｐｒｏｔｏｃｏｌ）アドレスとし、通信手段が電話である場合、０１３９−４１−０９８３等の電話番号とし、通信手段が現地である場合、鹿児島県指宿市１６−１−２等の住所とする。
【０１０６】
領域テーブル（３０５）は、上述の領域テーブル（２０３）とほぼ同一であるため、説明を省くものとする。但し、宅内情報管理装置の識別子が追加されており、宅内情報管理装置の識別子を指定することによって、領域テーブル（３０５）に蓄積されている情報を
限定することができる。
【０１０７】
グループテーブル（３０６）は、上述のグループテーブル（２０４）とほぼ同一であるため、説明を省くものとする。但し、宅内情報管理装置の識別子が追加されており、宅内情報管理装置の識別子を指定することによって、グループテーブル（３０６）に蓄積されている情報を限定することができる。
【０１０８】
宅内機器テーブル（３０７）は、上述の宅内機器テーブル（２０５）とほぼ同一であるため、詳細を省くものとする。但し、宅内情報管理装置の識別子が追加されており、宅内情報管理装置の識別子を指定することによって、宅内機器テーブル（３０７）に蓄積されている情報を限定することができる。
【０１０９】
宅内機器の分類テーブル（３０８）は、上述の宅内機器の分類テーブル（２０６）と同一であるため、詳細を省くものとする。
【０１１０】
宅内機器の情報テーブル（３０９）は、上述の宅内機器の情報テーブル（２０７）と同一であるため、詳細を省くものとする。
【０１１１】
測定値テーブル（３１０）は、上述の測定値テーブル（２０８）とほぼ同一であるため、詳細を省くものとする。但し、宅内情報管理装置の識別子が追加されており、宅内情報管理装置の識別子を指定することによって、測定値テーブル（３１０）に蓄積されている情報を限定することができる。
【０１１２】
測定項目の情報テーブル（３１１）は、上述の測定項目の情報テーブル（２０９）と同一であるため、詳細を省くものとする。
型の情報テーブル（３１２）は、上述の型の情報テーブル（２１０）と同一であるため、詳細を省くものとする。
【０１１３】
但し、地域情報管理装置が備えるデータベースを構成する宅内情報管理装置の情報テーブル（３０３）に含まれる宅内情報管理装置の識別子と宅内情報管理装置の名称と宅内情報管理装置の特徴と、地域情報管理装置が備えるデータベースを構成する宅内情報管理装置の拠点テーブル（３０４）に含まれる宅内情報管理装置の識別子と通信手段とアドレスと、地域情報管理装置が備えるデータベースを構成する領域テーブル（３０５）に含まれる宅内情報管理装置の識別子と領域の識別子と領域の名称と領域の特徴と、地域情報管理装置が備えるデータベースを構成するグループテーブル（３０６）に含まれる宅内情報管理装置の識別子と領域の識別子とグループの識別子とグループの名称とグループの特徴と、地域情報管理装置が備えるデータベースを構成する宅内機器テーブル（３０７）に含まれる宅内情報管理装置の識別子と領域の識別子とグループの識別子と宅内機器の識別子と宅内機器のメーカーと宅内機器の製造番号と宅内機器の名称と宅内機器の型番とｘ座標とｙ座標とｚ座標とｚ軸回転と、地域情報管理装置が備えるデータベースを構成する宅内機器の分類テーブル（３０８）に含まれる宅内機器の識別子と宅内機器の機能と、地域情報管理装置が備えるデータベースを構成する宅内機器の情報テーブル（３０９）に含まれる宅内機器のメーカーと宅内機器の名称と宅内機器の型番と宅内機器の特徴と、地域情報管理装置が備えるデータベースを構成する測定値テーブル（３１０）に含まれる宅内情報管理装置の識別子と領域の識別子とグループの識別子と宅内機器の識別子と測定項目の識別子と、地域情報管理装置が備えるデータベースを構成する測定項目の情報テーブル（３１１）に含まれる宅内機器の識別子と測定項目の識別子と型の名称と測定項目の名称と測定項目の特徴と、地域情報管理装置が備えるデータベースを構成する型の情報テーブル（３１２）に含まれる型の名称と型の特徴と、については、予め地域情報管理装置の管理者によって蓄積されているものとする。
【０１１４】
第１の実施形態を用いることによって、以下の効果を得ることが可能である。
第１の実施形態では、宅内情報管理装置（１０２ａ）から宅内情報管理装置（１０２Ｃ）まで等が、一定時間間隔で、又は、宅内機器から宅内機器情報を受信したタイミングで、地域情報管理装置（１０３）に対して宅内情報を送信するため、宅内情報管理装置（１０２ａ）から宅内情報管理装置（１０２Ｃ）まで等が備えるデータベースの一部と、地域情報管理装置（１０３）が備えるデータベースの一部と、を一致させることができる。
【０１１５】
（第２の実施形態）
第２の実施形態について以下に示す。
第２の実施形態では、第１の実施形態のバックアップシステムを例として説明する。第２の実施形態では、図１における宅内情報管理装置（１０２ａ）から宅内情報管理装置（１０２ｃ）まで等の内の、いずれかの宅内情報管理装置を宅内情報管理装置（１０２）としている。
【０１１６】
また、地域情報管理装置（１０３）は、宅内情報管理装置の識別子と情報要求符号とをセットとし、宅内情報管理装置の識別子と情報要求符号とのセットを含んで構成される図４に示すような情報要求テーブルを有している。
【０１１７】
ここで、情報要求符号は、宅内情報管理装置（１０２）に蓄積されている情報を要求する場合に更新され、更新するたびに従来に設定された文字列とは異なる文字列が設定されるものとする。
【０１１８】
また、宅内情報管理装置の識別子は、宅内情報管理装置（１０２）が有する宅内情報管理装置の識別子が記録されているものとする。
【０１１９】
図８は、本実施形態による処理の流れを示すフローチャートである。
図７Ｂは、地域情報管理装置（１０３）の詳細を示す図である。
地域情報管理装置（１０３）の情報要求部（１０３−６）は、地域情報管理装置（１０３）が備えるデータベース（１０３−４）の情報の回復が必要となった場合、地域情報管理装置（１０３）が有する情報要求テーブルに含まれる情報要求符号を変更する（ステップＳ１１）。このとき、すべての情報要求符号を変更しても良いし、地域情報管理装置（１０３）が備えるデータベース（１０３−４）の情報の回復に必要な情報を保有する宅内情報管理装置（１０２）を特定して、特定された宅内情報管理装置（１０２）が有する宅内情報管理装置の識別子とセットになっている情報要求符号（１）のみを変更しても良い。
【０１２０】
宅内情報管理装置（１０２）の通信部（１０２−３）は、一定時間間隔で、宅内情報管理装置（１０２）が有する宅内情報管理装置の識別子を含む符号要求信号を地域情報管理
装置（１０３）に対して送信する。
【０１２１】
地域情報管理装置（１０３）の通信部（１０３−３）は、宅内情報管理装置（１０２）から送信された符号要求信号を受信可能で、地域情報管理装置（１０３）の通信部（１０３−３）が、宅内情報管理装置（１０２）から送信された符号要求信号を受信した場合、地域情報管理装置（１０３）では以下が実行される。
【０１２２】
地域情報管理装置（１０３）の通信部（１０３−３）は、受信された符号要求信号に含まれる宅内情報管理装置の識別子と、地域情報管理装置（１０３）が有する情報要求テーブルに含まれる宅内情報管理装置の識別子と、が一致している宅内情報管理装置の識別子と情報要求符号とのセットを選択し、選択された宅内情報管理装置の識別子と情報要求符号とのセットに含まれる情報要求符号（１）を送信する。
以上が地域情報管理装置（１０３）で実行される。
【０１２３】
宅内情報管理装置（１０２）の通信部（１０２−３）は、地域情報管理装置（１０３）から送信された情報要求符号（１）を受信可能で、宅内情報管理装置（１０２）の通信部（１０２−３）が、地域情報管理装置（１０３）から送信された情報要求符号（１）を受信した場合、宅内情報管理装置（１０２）では以下が実行される。
【０１２４】
はじめに、宅内情報管理装置（１０２）の通信部（１０２−３）は、受信された情報要求符号（１）と、宅内情報管理装置（１０２）が有する情報要求符号（２）と、を比較し（ステップＳ１２）、両者が一致する場合（ステップＳ１３でＮＯ）、地域情報管理装置（１０３）は、宅内情報管理装置（１０２）に対して地域情報管理装置（１０３）が備えるデータベース（１０３−４）の情報の回復に必要な情報を要求していないと判断し、ステップＳ１２に戻る。一方、受信された情報要求符号（１）と、宅内情報管理装置（１０２）が有する情報要求符号（２）と、が異なる場合（ステップＳ１３でＹＥＳ）、地域情報管理装置（１０３）は、宅内情報管理装置（１０２）に対して地域情報管理装置（１０３）が備えるデータベース（１０３−４）の情報の回復に必要な情報を要求していると判断する。
【０１２５】
次に、宅内情報管理装置（１０２）の通信部（１０２−３）は、地域情報管理装置（１０３）が宅内情報管理装置（１０２）に対して地域情報管理装置（１０３）が備えるデータベース（１０３−４）の情報の回復に必要な情報を要求していると判断した場合、宅内情報管理装置（１０２）が備えるデータベース（１０２−４）に蓄積されている情報のうち、予め定められた情報、すなわち、回復情報を地域情報管理装置（１０３）に対して送信する（ステップＳ１４）。
【０１２６】
回復情報とは、回復しなければならない、地域情報管理装置（１０３）が備えるデータベース（１０３−２）のテーブルの名称と、そのテーブルに登録される行単位の情報の内、宅内情報管理装置（１０２）が有する情報と、を含むものとする。例えば、地域情報管理装置（１０３）が備えるデータベース（１０３−４）の測定値テーブル（３１０）に含まれる測定値を回復する場合、測定値テーブル（３１０）というテーブルの名称と宅内情報管理装置の識別子と領域の識別子とグループの識別子と宅内機器の識別子と測定項目の識別子と測定時刻と実測値とする。
【０１２７】
但し、上述以外の情報であっても、上述と同様に、地域情報管理装置（１０３）が備えるデータベース（１０３−４）を回復することが可能であれば構わない。
【０１２８】
次に、宅内情報管理装置（１０２）の通信部（１０２−３）は、宅内情報管理装置（１０２）が有する情報要求符号（２）を受信された情報要求符号（１）に変更する（ステップＳ１５）。
以上が宅内情報管理装置（１０２）で実行される。
【０１２９】
地域情報管理装置（１０３）の通信部（１０３−３）は、宅内情報管理装置（１０２）から送信された回復情報を受信可能で、地域情報管理装置（１０３）の通信部（１０３−３）が、宅内情報管理装置（１０２）から送信された回復情報を受信した場合（ステップＳ１５）、地域情報管理装置（１０３）では以下が実行される。
【０１３０】
地域情報管理装置（１０３）の情報回復部（１０３−５）は、受信された回復情報に基づいて、地域情報管理装置（１０３）が備えるデータベース（１０３−４）を回復する（ステップＳ１７）。
【０１３１】
例えば、回復情報に含まれる測定値テーブルというテーブルの名称に基づいて、地域情報管理装置（１０３）が備えるデータベース（１０３−４）の測定値テーブル（３１０）に対して、回復情報に含まれる宅内情報管理装置の識別子と領域の識別子とグループの識別子と宅内機器の識別子と測定項目の識別子と測定時刻と実測値とを記録する。
以上が地域情報管理装置（１０３）で実行される。
【０１３２】
第２の実施形態を用いることによって、以下の効果を得ることが可能である。
第２の実施形態では、地域情報管理装置（１０３）が備えるデータベース（１０３−４）の回復が必要となった場合であっても、宅内情報管理装置（１０２）が備えるデータベース（１０２−４）に、地域情報管理装置（１０３）が備えるデータベース（１０３−４）の回復に必要な情報が蓄積されていることを利用して、地域情報管理装置（１０３）が備えるデータベース（１０３−４）を回復することができる。
【０１３３】
また、宅内情報管理装置（１０２）は、地域情報管理装置（１０３）が有する情報要求テーブルにアクセスすることによって、地域情報管理装置（１０３）が、地域情報管理装置（１０３）が備えるデータベース（１０３−４）の回復に必要な情報を要求しているか否かを判断する。したがって、地域情報管理装置（１０３）は宅内情報管理装置（１０２）のＩＰ（Ｉｎｔｅｒｎｅｔ  Ｐｒｏｔｏｃｏｌ）アドレス等を有する必要がないため、例えば、宅内情報管理装置（１０２）のＩＰ（Ｉｎｔｅｒｎｅｔ  Ｐｒｏｔｏｃｏｌ）アドレス等が変更となった場合であっても、地域情報管理装置（１０３）に対して宅内情報管理装置（１０２）のＩＰ（Ｉｎｔｅｒｎｅｔ  Ｐｒｏｔｏｃｏｌ）アドレス等が変更となったことを報知する必要はない。
【０１３４】
また、地域情報管理装置（１０３）は、地域情報管理装置（１０３）が備えるデータベース（１０３−４）の情報の回復に必要な情報を有する宅内情報管理装置（１０２）を特定して、特定された宅内情報管理装置（１０２）が有する宅内情報管理装置の識別子とセットになっている情報要求符号を更新することができるため、回復情報に基づいて、地域情報管理装置（１０３）が備えるデータベース（１０３−４）を回復することができなかった場合、宅内情報管理装置（１０２）が有する宅内情報管理装置の識別子とセットになっている情報要求符号のみを更新することによって、宅内情報管理装置（１０２）は、地域情報管理装置（１０３）が備えるデータベース（１０３−４）を回復できなかったと判断することができる。
【０１３５】
（第３の実施形態）
第３の実施形態について以下に示す。
第３の実施形態では、第１の実施形態のバックアップシステムを例として説明する。第３の実施形態では、図１における宅内情報管理装置（１０２ａ）から宅内情報管理装置（１０２ｃ）まで等の内の、いずれかの宅内情報管理装置を宅内情報管理装置（１０２）としている。
【０１３６】
図９は、第３の実施形態における処理の流れを示すフローチャート図である。
宅内情報管理装置（１０２）は、宅内情報管理装置（１０２）が備えるデータベース（１０２−４）の情報の回復が必要となった場合、以下の処理を実行する。
【０１３７】
図６Ｂは、宅内情報管理装置（１０２）の詳細を示す図である。
宅内情報管理装置（１０２）の通信部（１０２−３）は、地域情報管理装置（１０３）に対して宅内情報管理装置（１０２）が備えるデータベース（１０２−４）の情報の回復に必要な情報を要求するための情報要求信号を送信する（ステップＳ２１）。但し、情報要求信号の送信は、宅内情報管理装置（１０２）の管理者が宅内情報管理装置（１０２）を操作することによってなされたり、宅内情報管理装置（１０２）によって自動でなされる。
【０１３８】
地域情報管理装置（１０３）の通信部（１０３−３）は、宅内情報管理装置（１０２）から送信された情報要求信号を受信可能で、地域情報管理装置（１０３）の通信部（１０３−３）が、宅内情報管理装置（１０２）から送信された情報要求信号を受信した場合（ステップＳ２２）、地域情報管理装置（１０３）では以下が実行される。
【０１３９】
地域情報管理装置（１０３）の通信部（１０３−３）は、宅内情報管理装置（１０２）が地域情報管理装置（１０３）に対して宅内情報管理装置（１０２）が備えるデータベース（１０２−４）の情報の回復に必要な情報を要求していると判断し、地域情報管理装置（１０３）が備えるデータベース（１０３−４）に蓄積されている情報の内、予め定められた情報、すなわち、回復情報を宅内情報管理装置（１０２）に対して送信する（ステップＳ２３）。
【０１４０】
回復情報とは、回復しなければならない、宅内情報管理装置（１０２）が備えるデータベース（１０２−４）のテーブルの名称と、そのテーブルに登録される行単位の情報の内、地域情報管理装置（１０３）が有する情報と、を含むものとする。例えば、宅内情報管理装置（１０２）が備えるデータベース（１０２−４）の測定値テーブル（２０８）に含まれる測定値を回復する場合、測定値テーブル（２０８）というテーブルの名称と領域の識別子とグループの識別子と宅内機器の識別子と測定項目の識別子と測定時刻と実測値とする。
【０１４１】
但し、上述以外の情報であっても、上述と同様に、宅内情報管理装置（１０２）が備えるデータベース（１０２−４）を回復することが可能であれば構わない。
以上が地域情報管理装置（１０３）で実行される。
【０１４２】
宅内情報管理装置（１０２）の通信部（１０２−３）は、地域情報管理装置（１０３）から送信された回復情報を受信可能で、宅内情報管理装置（１０２）の通信部（１０２−３）が、地域情報管理装置（１０３）から送信された回復情報を受信した場合（ステップＳ２４）、宅内情報管理装置（１０２）では以下が実行される。
【０１４３】
宅内情報管理装置（１０２）の情報回復部（１０２−５）は、受信された回復情報に基づいて、宅内情報管理装置（１０２）が備えるデータベース（１０２−４）を回復する（ステップＳ２５）。
【０１４４】
例えば、回復情報に含まれる測定値テーブルというテーブルの名称に基づいて、宅内情報管理装置（１０２）が備えるデータベース（１０２−４）の測定値テーブル（２０８）に対して、回復情報に含まれる領域の識別子とグループの識別子と宅内機器の識別子と測定項目の識別子と測定時刻と実測値と、を記録する。
以上が宅内情報管理装置（１０２）で実行される。
【０１４５】
第３の実施形態を用いることによって、以下の効果を得ることが可能である。
第３の実施形態では、宅内情報管理装置（１０２）が備えるデータベース（１０２−４）の回復が必要となった場合であっても、地域情報管理装置（１０３）が備えるデータベース（１０３−４）に、宅内情報管理装置（１０２）が備えるデータベース（１０２−４）の回復に必要な情報が蓄積されていることを利用して、宅内情報管理装置（１０２）が備えるデータベース（１０２−４）を回復することができる。
【０１４６】
（第４の実施形態）
以上の第１の実施形態から第３の実施形態までで説明した、宅内情報管理装置（１０２）と地域情報管理装置（１０３）とは、複数の機能を実現するためのプログラムをコンピュータ読み取り可能な記録媒体に記録して、この記録媒体に記録されたプログラムをコンピュータシステムに読み込ませ、実行することによって、各機能部の処理を実現してもよい。なお、ここでいう「コンピュータシステム」とは、ＯＳ（Ｏｐｅｒａｉｎｇ  Ｓｙｓｔｅｍ）や周辺宅内機器等のハードウェアを含むものとする。
【０１４７】
また、「コンピュータシステム」は、ＷＷＷ（Ｗｏｒｌｄ  Ｗｉｄｅ  Ｗｅｂ）システムを利用している場合であれば、ホームページ提供環境（あるいは表示環境）も含むものとする。
【０１４８】
また、前記プログラムは、前述した機能の一部を実現するためのものであってもよく、さらに前述した機能をコンピュータシステムにすでに記録されているプログラムとの組み合わせで実現できるものであってもよい。
【０１４９】
また、上記プログラムを格納した「記録媒体」とは、フレキシブルディスク、光磁気ディスク、ＲＯＭ（Ｒｅａｄ  Ｏｎｌｙ  Ｍｅｍｏｒｙ）、ＣＤ−ＲＯＭ等のコンピュータ読み取り可能な可搬媒体、コンピュータシステムに内蔵されるハードディスク等の記憶装置などのことをいう。さらには、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。
【０１５０】
（第５の実施形態）
以上の第１の実施形態から第３の実施形態までで説明した、宅内情報管理装置（１０２）と地域情報管理装置（１０３）とは、これらの機能を実現する回路デバイス、ＩＣ（Ｉｎｔｅｇｒａｔｅｄ  Ｃｉｒｃｕｉｔ）などの集積回路などのハードウェアを用いて構成することができる。また、これら機能部はそれぞれ個別に構成してもよいし、複数の機能部を単一のハードウェアによって構成することもできる。
【０１５１】
以上の第１の実施形態から第３の実施形態までで説明した、添付図面に図示されている構成などについては、これらに限定されるものではなく、本発明の効果を発揮する範囲内で適宜変更することが可能である。その他、本発明の目的の範囲を逸脱しない限りにおいて適宜変更して実施することが可能である。
【符号の説明】
【０１５２】
１００：地域情報管理システム
１０１ａ〜１０１ｆ：宅内機器
１０２ａ〜１０２ｃ：宅内情報管理装置
１０３：地域情報管理装置
１０４：サービス提供者サーバ
ＮＴ：ネットワーク
４０１：宅内情報管理装置の列
４０２：バックアップ識別子の列
１０１：宅内機器
１０１−１：宅内機器情報１取得部
１０１−２：宅内機器情報２取得部
１０１−３：通信部
１０２：宅内情報管理装置
１０２−１：宅内情報１取得部
１０２−２：宅内情報２取得部
１０２−３：通信部
１０２−４：データベース
１０２−５：情報回復部２
１０３：地域情報管理装置
１０３−３：通信部
１０３−４：データベース
１０３−５：情報回復部１
１０３−６：情報要求部
２０３：領域テーブル
２０４：グループテーブル
２０５：宅内機器テーブル
２０６：宅内機器の分類テーブル
２０７：宅内機器の情報テーブル
２０８：測定値テーブル
２０９：測定値の情報テーブル
２１０：型の情報テーブル
３０３：宅内情報管理装置の情報テーブル
３０４：宅内情報管理装置の拠点テーブル
３０５：領域テーブル
３０６：グループテーブル
３０７：宅内機器テーブル
３０８：宅内機器の分類テーブル
３０９：宅内機器の情報テーブル
３１０：測定値テーブル
３１１：測定値の情報テーブル
３１２：型の情報テーブル。
【図１】
2013201862.tif 000003
【図２Ａ】
2013201862.tif 000004
【図２Ｂ】
2013201862.tif 000005
【図３Ａ】
2013201862.tif 000006
【図３Ｂ】
2013201862.tif 000007
【図４】
2013201862.tif 000008
【図５】
2013201862.tif 000009
【図６Ａ】
2013201862.tif 000010
【図６Ｂ】
2013201862.tif 000011
【図７Ａ】
2013201862.tif 000012
【図７Ｂ】
2013201862.tif 000013
【図８】
2013201862.tif 000014
【図９】
2013201862.tif 000015